【手続補正書】
【提出日】平成26年9月12日(2014.9.12)
【手続補正１】
【補正対象書類名】特許請求の範囲
【補正対象項目名】全文
【補正方法】変更
【補正の内容】
【特許請求の範囲】
【請求項１】
エポキシドと二酸化炭素を、以下の構造を有する二金属錯体と接触させるステップを含む方法であって、
【化１５８】
2013539802.tif 000001
式中、
Ｍ１は第一金属原子であり；
Ｍ２は第二金属原子であり；
【化１５９】
2013539802.tif 000002
は、両方の金属原子を配位できる多座配位子系を含み；
【化１６０】
2013539802.tif 000003
は、多座配位子系に付着した一つまたは複数の活性化部分を表し、
【化１６１】
2013539802.tif 000004
は、配位子系に共有結合したリンカー部分であり、ｍは、個々のリンカー部分上に存在するＺ基の数を表す１〜４の整数であり、（Ｚ）は、それぞれ独立して、
【化１６２−１】
2013539802.tif 000005
【化１６２−２】
2013539802.tif 000006
【化１６２−３】
2013539802.tif 000007
【化１６２−４】
2013539802.tif 000008
から成る群から選択される活性化官能基であり、
式中、
Ｒ１およびＲ２は、それぞれ独立して、水素であるか、またはＣ１〜２０脂肪族；Ｃ１〜２０ヘテロ脂肪族；３〜８員の飽和もしくは一部不飽和の単環式炭素環式化合物；７〜１４員の飽和もしくは一部不飽和の多環式炭素環式化合物；窒素、酸素もしくは硫黄から独立して選択される１〜４個のヘテロ原子を有する、５〜６員の単環式ヘテロアリール環；窒素、酸素もしくは硫黄から独立して選択される１〜５個のヘテロ原子を有する、８〜１４員の多環式ヘテロアリール環；窒素、酸素もしくは硫黄から独立して選択される１〜３個のヘテロ原子を有する、３〜８員の飽和もしくは一部不飽和の単環式複素環式環；窒素、酸素もしくは硫黄から独立して選択される１〜５個のヘテロ原子を有する、６〜１４員の飽和もしくは一部不飽和の多環式複素環；フェニル；もしくは、８〜１４員の多環式アリール環から成る群から選択される、任意選択的に置換されたラジカルであり；Ｒ１およびＲ２は、介在原子（複数可）と共に、任意選択的に一つまたは複数の追加のヘテロ原子を含有する、任意選択的に置換された一つまたは複数の環を形成することができ；
Ｒ３は、それぞれ独立して、水素であるか、または、Ｃ１〜２０脂肪族；Ｃ１〜２０ヘテロ脂肪族；３〜８員の飽和もしくは一部不飽和の単環式炭素環式化合物；７〜１４員の飽和もしくは一部不飽和の多環式炭素環式化合物；窒素、酸素、もしくは硫黄から独立して選択される１〜４個のヘテロ原子を有する、５〜６員の単環式のヘテロアリール環；窒素、酸素、もしくは硫黄から独立して選択される１〜５個のヘテロ原子を有する、８〜１４員の多環式ヘテロアリール環；窒素、酸素、もしくは硫黄から独立して選択される１〜３個のヘテロ原子を有する、３〜８員の飽和もしくは一部不飽和の単環式複素環式環；窒素、酸素もしくは硫黄から独立して選択される１〜５個のヘテロ原子を有する、６〜１４員の飽和もしくは一部不飽和の多環式複素環式環；フェニル；もしくは、８〜１４員の多環式アリール環から成る群から選択される、任意選択的に置換されたラジカルであり；Ｒ３基は、Ｒ１基またはＲ２基と共に、任意選択的に置換された一つまたは複数の環を形成することができ；ならびに
Ｒ４は、それぞれ独立して、水素、ヒドロキシル保護基、または、Ｃ１〜２０アシル、Ｃ１〜２０脂肪族、Ｃ１〜２０ヘテロ脂肪族、３〜８員の飽和もしくは一部不飽和の単環式炭素環式化合物、７〜１４員の飽和もしくは一部不飽和の多環式炭素環式化合物；窒素、酸素、もしくは硫黄から独立して選択される１〜４個のヘテロ原子を有する、５〜６員の単環式ヘテロアリール環；窒素、酸素、もしくは硫黄から独立して選択される１〜５個のヘテロ原子を有する、８〜１４員の多環式ヘテロアリール環；窒素、酸素、もしくは硫黄から独立して選択される１〜３個のヘテロ原子を有する、３〜８員の飽和もしくは一部不飽和の単環式複素環式環；窒素、酸素、もしくは硫黄から独立して選択される１〜５個のヘテロ原子を有する、６〜１４員の飽和もしくは一部不飽和の多環式複素環式環；フェニル；もしくは、８〜１４員の多環式アリール環から成る群から選択される、任意選択的に置換されたラジカルであり；
Ｒ５は、Ｒ２またはヒドロキシルであり、Ｒ１およびＲ５は、介在原子（複数可）と共に、任意選択的に置換された一つまたは複数の炭素環式環、複素環式環、アリール環、またはヘテロアリール環を形成することができ；
Ｒ６およびＲ７は、それぞれ独立して、水素であるか、またはＣ１〜２０脂肪族；Ｃ１〜２０ヘテロ脂肪族；３〜８員の飽和もしくは一部不飽和の単環式炭素環式化合物；７〜１４員の飽和もしくは一部不飽和の多環式炭素環式化合物；窒素、酸素、もしくは硫黄から成る群から独立して選択される１〜４個のヘテロ原子を有する５〜６員の飽和もしくは一部不飽和の単環式ヘテロアリール環；窒素、酸素、もしくは硫黄から成る群から独立して選択される１〜５個のヘテロ原子を有する８〜１４員の飽和もしくは一部不飽和の多環式ヘテロアリール環；窒素、酸素、もしくは硫黄から成る群から独立して選択される、１〜３個のヘテロ原子を有する３〜８員の飽和もしくは一部不飽和の単環式複素環式環；窒素、酸素、もしくは硫黄から成る群から独立して選択される、１〜５個のヘテロ原子を有する６〜１４員の飽和もしくは一部不飽和の多環式複素環式環；フェニル；８〜１４員の多環式アリール環から成る群から選択される、任意選択的に置換されたラジカルであり；式中、Ｒ６およびＲ７は、介在原子（複数可）と共に、任意選択的に一つまたは複数のヘテロ原子を含有する、任意選択的に置換された一つまたは複数の環を形成することができ、ならびにＲ６基およびＲ７基は、Ｒ１基またはＲ２基と共に、任意選択的に置換された一つまたは複数の環を形成することができ；
Ｒ８の出現箇所は、それぞれ独立して、ハロゲン、−ＮＯ２、−ＣＮ、−ＳＲｙ、−Ｓ（Ｏ）Ｒｙ、−Ｓ（Ｏ）２Ｒｙ、−ＮＲｙＣ（Ｏ）Ｒｙ、−ＯＣ（Ｏ）Ｒｙ、−ＣＯ２Ｒｙ、−ＮＣＯ、−Ｎ３、−ＯＲ７、−ＯＣ（Ｏ）Ｎ（Ｒｙ）２、−Ｎ（Ｒｙ）２、−ＮＲｙＣ（Ｏ）Ｒｙ、−ＮＲｙＣ（Ｏ）ＯＲｙから成る群から選択され；または、Ｃ１〜２０脂肪族、Ｃ１〜２０ヘテロ脂肪族、３〜８員の飽和もしくは一部不飽和の単環式炭素環式化合物；７〜１４員の飽和もしくは一部不飽和の多環式炭素環式化合物；窒素、酸素、もしくは硫黄から成る群から独立して選択される、１〜４個のヘテロ原子を有する、５〜６員の単環式ヘテロアリール環；窒素、酸素、もしくは硫黄から成る群から独立して選択される、１〜５個のヘテロ原子を有する、８〜１４員の多環式ヘテロアリール環；窒素、酸素、もしくは硫黄から成る群から独立して選択される、１〜３個のヘテロ原子を有する、３〜８員の単環式複素環式環；窒素、酸素、もしくは硫黄から成る群から独立して選択される、１〜５個のヘテロ原子を有する、６〜１４員の多環式複素環式環；フェニル；もしくは８〜１４員の多環式アリール環から成る群から選択される、任意選択的に置換されたラジカルであり；ならびに、隣接する二つまたはそれ以上のＲ８基が共に、０〜４個のヘテロ原子を含有する、任意選択的に置換された、飽和、一部不飽和若しくは芳香族の５〜１２員環を形成することができ；
Ｒｙは、それぞれ独立して、−Ｈであるか、または、Ｃ１〜６脂肪族、フェニル、３〜７員の飽和もしくは一部不飽和の炭素環式環、窒素、酸素、もしくは硫黄から成る群から独立して選択される１〜２個のヘテロ原子を有する、３〜７員の飽和もしくは一部不飽和の単環式複素環式環、窒素、酸素、もしくは硫黄から成る群から独立して選択される１〜３個のヘテロ原子を有する、５〜６員のヘテロアリール環、および８〜１０員のアリールから成る群から選択される、任意選択的に置換されたラジカルであり；
Ｘは任意のアニオンであり；
環Ａは、任意選択的に置換された５〜１０員のヘテロアリール基であり；ならびに
環Ｂは、窒素、酸素、もしくは硫黄から独立して選択される、図示されている環の窒素原子に加え、０〜２個のヘテロ原子を有する、任意選択的に置換された３〜８員の飽和もしくは一部不飽和の単環式複素環式環である、
方法。
【請求項２】
Ｍ１およびＭ２は、独立して、Ｃｒ、Ｍｎ、Ｖ、Ｆｅ、Ｃｏ、Ｍｏ、Ｗ、Ｒｕ、Ａｌ、およびＮｉから成る群から選択される、請求項１に記載の方法。
【請求項３】
【化１６３】
2013539802.tif 000009
部分は、少なくとも一つの炭素原子を含む１〜３０個の原子と、任意選択的に、Ｎ、Ｏ、Ｓ、Ｓｉ、ＢおよびＰから成る群から選択される一つまたは複数の原子とを含有するか、あるいは、
前記
【化１６４】
2013539802.tif 000010
部分がＣ２〜３０脂肪族基であり、一つまたは複数のメチレンユニットが、任意選択的かつ独立して、−ＮＲｙ−、−Ｎ（Ｒｙ）Ｃ（Ｏ）−、−Ｃ（Ｏ）Ｎ（Ｒｙ）−、−Ｏ−、−Ｃ（Ｏ）−、−ＯＣ（Ｏ）−、−Ｃ（Ｏ）Ｏ−、−Ｓ−、−Ｓｉ（Ｒｙ）２−、−ＳＯ−、−ＳＯ２−、−Ｃ（＝Ｓ）−、−Ｃ（＝ＮＲｙ）−、または−Ｎ＝Ｎ−により置換されるか、あるいは、
前記
【化１６５】
2013539802.tif 000011
部分が、
【化１６６】
2013539802.tif 000012
から成る群から選択され、
ｓはそれぞれ独立して０〜６であり、ｔはそれぞれ独立して０〜４であり、＊は配位子に結合する部位を表し、＃は活性化官能基の結合部位を表す、
請求項１に記載の方法。
【請求項４】
前記
【化１６７】
2013539802.tif 000013
部分が一つの六座配位子を含み、好ましくは、
前記六座配位子が、サレン誘導体、サレン配位子の誘導体、ｂｉｓ−２−ヒドロキシベンザミドの誘導体、およびＲｏｂｓｏｎ型大環状シッフ塩基から成る群から選択される、
請求項１に記載の方法。
【請求項５】
前記六座配位子が、
【化１６９−１】
2013539802.tif 000014
【化１６９−２】
2013539802.tif 000015
から成る群から選択され、
式中、
Ｑ１、Ｑ２、Ｑ３，Ｑ４、Ｑ５およびＱ６は、それぞれ独立して、酸素原子、窒素原子または硫黄原子であり、原子価の法則が許せば、任意選択的に置換されてもよく；
【化１７０】
2013539802.tif 000016
は、それぞれ任意選択的に存在し、独立して、２〜２０個の炭素原子を含有する、任意選択的に置換された橋を表し、かかる橋は、独立してまたは組み合わせて、任意選択的に置換された一つまたは複数の環を任意選択的に形成し、存在する各橋は、任意選択的に一つまたは複数のヘテロ原子を含有し；
【化１７１】
2013539802.tif 000017
部分は、それぞれ独立して、任意選択的に置換されかつ任意選択的に不飽和な炭素橋であり、前記橋を含む任意の炭素原子は、任意選択的に置換された一つまたは複数の環の部分であってもよく；
一つまたは複数の
【化１７２】
2013539802.tif 000018
基は、一つまたは複数の
【化１７３】
2013539802.tif 000019
基と任意選択的に置換され；
環ＣおよびＤは、それぞれ独立して、任意選択的に置換された５〜１２員の単環式環または多環式環を表し、かかる環は飽和、一部不飽和または芳香族でもよく、かつ任意選択的に一つまたは複数のヘテロ原子を含有してもよく；
ＲａおよびＲｂは、それぞれ独立して、フェニル環上に存在する置換基であり、そこでは、二つもしくはそれ以上のＲａ基および／または二つもしくはそれ以上のＲｂ基が共に、一つまたは複数の任意選択的に置換された環を形成してもよく；
ＲｃおよびＲｄは、それぞれ独立して、
【化１７４】
2013539802.tif 000020
基、ハロゲン、−ＯＲ７、−Ｎ（Ｒｙ）２、−ＳＲ７、−ＣＮ、−ＮＯ２、−ＳＯ２Ｒｙ、−ＳＯＲ、−ＳＯ２Ｎ（Ｒｙ）２；−ＣＮＯ、−ＮＲｙＳＯ２Ｒｙ、−ＮＣＯ、−Ｎ３、−ＳｉＲ３から成る群から選択されるか；または、Ｃ１〜２０脂肪族；Ｃ１〜２０ヘテロ脂肪族、３〜８員の飽和もしくは一部不飽和の単環式炭素環式化合物；７〜１４員の飽和もしくは一部不飽和の多環式炭素環式化合物；窒素、酸素、もしくは硫黄から成る群から独立して選択される１〜４個のヘテロ原子を有する、５〜６員の単環式ヘテロアリール環；窒素、酸素、もしくは硫黄から成る群から独立して選択される１〜５個のヘテロ原子を有する、８〜１４員の多環式ヘテロアリール環；窒素、酸素、もしくは硫黄から成る群から独立して選択される１〜３個のヘテロ原子を有する、３〜８員の飽和もしくは一部不飽和の単環式複素環式環；窒素、酸素、もしくは硫黄から成る群から独立して選択される１〜５個のヘテロ原子を有する、６〜１４員の飽和もしくは一部不飽和の多環式複素環；もしくは、８〜１４員の多環式アリール環から成る群から選択される、任意選択的に置換されたラジカルであり；式中、二つまたはそれ以上のＲｃ基もしくはＲｄ基が、結合先の炭素原子および介在原子（複数可）と共に、任意選択的に置換された一つまたは複数の環を形成してもよく；ならびに、二つのＲｃ基またはＲｄ基が同じ炭素原子に結合している場合、両者は、結合先の炭素原子と共に、３〜８員のスピロ環式環、カルボニル基、任意選択的に置換されたアルケン、任意選択的に置換されたオキシム、任意選択的に置換されたヒドラゾン、および任意選択的に置換されたイミンから成る群から選択される部分を形成してよもく；
Ｒｅは、それぞれ独立して、水素と；
【化１７５】
2013539802.tif 000021
基と；または、Ｃ１〜２０脂肪族；Ｃ１〜２０ヘテロ脂肪族；３〜８員の飽和もしくは一部不飽和の単環式炭素環式化合物；７〜１４員の飽和もしくは一部不飽和の多環式炭素環式化合物；窒素、酸素、もしくは硫黄から成る群から独立して選択される、１〜４個のヘテロ原子を有する、５〜６員の単環式ヘテロアリール環；窒素、酸素、もしくは硫黄から成る群から独立して選択される、１〜５個のヘテロ原子を有する、８〜１４員の多環式ヘテロアリール環；窒素、酸素、もしくは硫黄から成る群から独立して選択される、１〜３個のヘテロ原子を有する、３〜８員の飽和もしくは一部不飽和の単環式複素環式環；窒素、酸素、もしくは硫黄から成る群から独立して選択される、１〜５個のヘテロ原子を有する、６〜１４員の飽和もしくは一部不飽和の多環式複素環；フェニル；もしくは、８〜１４員の多環式アリール環から成る群から選択される、任意選択的に置換された部分とから成る群から選択され；式中、二つのＲｅ基が同じ位置に存在する場合、両者は共に、任意選択的に一つまたは複数のヘテロ原子を含有し、および任意選択的に一つまたは複数のＲｃ基と置換されたスピロ環式環を形成してもよく；
Ｒ１２は、任意選択的に存在し、存在する場合は、
【化１７６】
2013539802.tif 000022
基と；または、Ｃ１〜２０脂肪族、Ｃ１〜２０ヘテロ脂肪族、およびフェニルから成る群から選択される、任意選択的に置換されたラジカルとから成る群から選択され；
ｈおよびｉは、独立して、１、２、３、または４であり；ならびに
ｑは１または２である、
請求項４に記載の方法。
【請求項６】
前記二金属錯体が表１の錯体から選択され、式中、Ｍはそれぞれ独立して金属イオンであり、好ましくは、
Ｍがそれぞれコバルトである、
請求項１に記載の方法。
【請求項７】
二金属錯体の少なくとも一つのフェニル環が、独立して、
【化１８６−１】
2013539802.tif 000023
【化１８６−２】
2013539802.tif 000024
から成る群から選択され、好ましくは、
一つまたは複数のＺ基が、独立して、アミン、ホスフィン、グアニジン、ビスグアニジン、アミジン、および窒素含有複素環から成る群から選択される中性の官能基である、
請求項５に記載の方法。
【請求項８】
前記二金属錯体が、全部で１〜８個のＺ基を含有するか、あるいは、
前記二金属錯体が、全部で１〜６個のＺ基を含有するか、あるいは、
前記二金属錯体が、全部で１〜４個のＺ基を含有するか、あるいは、
前記二金属錯体が、全部で２個のＺ基を含有するか、あるいは、
前記二金属錯体が、全部で４個のＺ基を含有する、
請求項１に記載の方法。
【請求項９】
（Ａ）少なくとも一つのＺ基が、
【化１９７】
2013539802.tif 000025
から成る群から選択され、好ましくは、
Ｒ１、Ｒ２およびＲ３のうちの二つ以上が共に、任意選択的に追加のヘテロ原子を含有する、任意選択的に置換された環を形成するか、あるいは、
（Ｂ）少なくとも一つのＺ基が、
【化１９９】
2013539802.tif 000026
から成る群から選択され、好ましくは、
Ｒ１およびＲ２のうちの二つ以上は共に、任意選択的に追加のヘテロ原子を含有する、任意選択的に置換された一つまたは複数の環を形成するか、あるいは、
（Ｃ）少なくとも一つのＺ基が
【化２０１】
2013539802.tif 000027
であり、好ましくは、
Ｒ１およびＲ２のうちの二つ以上は共に、任意選択的に追加のヘテロ原子を含有する、任意選択的に置換された一つまたは複数の環を形成する、
請求項１に記載の方法。
【請求項１０】
前記エポキシドが、式
【化２０４】
2013539802.tif 000028
を有し、
式中、
Ｒａ’は水素であるか、または、Ｃ１〜３０脂肪族；Ｃ１〜３０ヘテロ脂肪族；フェニル；３〜８員の飽和もしくは一部不飽和の単環式炭素環式化合物；７〜１４員の飽和もしくは一部不飽和の多環式炭素環式化合物；窒素、酸素、もしくは硫黄から成る群から独立して選択される１〜４個のヘテロ原子を有する、５〜６員の飽和もしくは一部不飽和の単環式ヘテロアリール環；窒素、酸素、もしくは硫黄から成る群から独立して選択される１〜３個のヘテロ原子を有する、３〜８員の飽和もしくは一部不飽和の複素環式環；窒素、酸素、もしくは硫黄から成る群から独立して選択される１〜５個のヘテロ原子を有する、６〜１２員の飽和もしくは一部不飽和の複素環；窒素、酸素、もしくは硫黄から成る群から独立して選択される１〜５個のヘテロ原子を有する、８〜１０員の二環式ヘテロアリール環から成る群から選択される、任意選択的に置換されたラジカルであり；ならびに
Ｒｂ’、Ｒｃ’およびＲｄ’は、それぞれ独立して、水素であるか、または、Ｃ１〜１２脂肪族；Ｃ１〜１２ヘテロ脂肪族；フェニル；３〜８員の飽和もしくは一部不飽和の単環式炭素環式化合物；７〜１４個炭素の飽和、一部不飽和もしくは芳香族の多環式炭素環式化合物；窒素、酸素、もしくは硫黄から成る群から独立して選択される、１〜４個のヘテロ原子を有する、５〜６員の単環式ヘテロアリール環；窒素、酸素、もしくは硫黄から成る群から独立して選択される、１〜３個のヘテロ原子を有する、３〜８員の飽和もしくは一部不飽和の複素環式環；窒素、酸素、もしくは硫黄から成る群から独立して選択される、１〜５個のヘテロ原子を有する、６〜１２員の飽和もしくは一部不飽和の複素環；窒素、酸素、もしくは硫黄から成る群から独立して選択される、１〜５個のヘテロ原子を有する、８〜１０員の二環式ヘテロアリール環から成る群から選択される、任意選択的に置換されたラジカルであり；
式中、（Ｒａ’およびＲｃ’）、（Ｒｃ’およびＲｄ’）ならびに（Ｒａ’およびＲｂ’）のいずれも、介在原子（複数可）と共に、任意選択的に置換された一つまたは複数の環を形成することができ、好ましくは、
形成されるポリマーが、
【化２０５】
2013539802.tif 000029
から成る群から選択される式を有する、
請求項１に記載の方法。
【請求項１１】
前記エポキシドは、エチレンオキシド、プロピレンオキシド、ブチレンオキシド、シクロヘキセンオキシド、１，２−オクテンオキシド、３−ビニルシクロヘキセンオキシド、エピクロロヒドリン、およびこれらの任意の二つまたはそれ以上の混合物から成る群から選択されるか、あるいは、
前記エポキシドは、エチレンオキシド、プロピレンオキシド、またはシクロヘキセンオキシドであるか、あるいは、
前記エポキシドはプロピレンオキシドである、
請求項１に記載の方法。
【請求項１２】
以下の構造を有し、
【化２０６】
2013539802.tif 000030
式中、
Ｍ１は第一金属原子であり；
Ｍ２は第二金属原子であり；
【化２０７】
2013539802.tif 000031
は、両方の金属原子を配位することができる多座配位子系を含み；
【化２０８】
2013539802.tif 000032
は、多座配位子系に結合する一つまたは複数の活性化部分を表しており、
【化２０９】
2013539802.tif 000033
は、配位子系と共有結合したリンカー部分であり、ｍは、個々のリンカー部分に存在するＺ基の数を表す１〜４の整数であり；および、（Ｚ）は、それぞれ独立して、
【化２１０−１】
2013539802.tif 000034
【化２１０−２】
2013539802.tif 000035
【化２１０−３】
2013539802.tif 000036
から成る群から選択される活性化官能基であり；
式中、
Ｒ１およびＲ２は、それぞれ独立して水素であるか、またはＣ１〜２０脂肪族；Ｃ１〜２０ヘテロ脂肪族；３〜８員飽和もしくは一部不飽和の単環式の炭素環式化合物；７〜１４員の飽和もしくは一部不飽和の多環式の炭素環式化合物；窒素、酸素もしくは硫黄から独立して選択される１〜４個のヘテロ原子を有する、５〜６員の単環式ヘテロアリール環；窒素、酸素もしくは硫黄から独立して選択される１〜５個のヘテロ原子を有する、８〜１４員の多環式ヘテロアリール環；窒素、酸素もしくは硫黄から独立して選択される１〜３個のヘテロ原子を有する、３〜８員の飽和もしくは一部不飽和の単環式複素環式環；窒素、酸素もしくは硫黄から独立して選択される１〜５個のヘテロ原子を有する、６〜１４員の飽和もしくは一部不飽和の多環式複素環；フェニル；もしくは、８〜１４員の多環式アリール環から成る群から選択される、任意選択的に置換されたラジカルであり；式中、Ｒ１およびＲ２は、介在原子（複数可）と共に、任意選択的に一つまたは複数の追加のヘテロ原子を含有する、任意選択的に置換された一つまたは複数の環を形成することができ；
Ｒ３は、それぞれ独立して水素であるか、またはＣ１〜２０脂肪族；Ｃ１〜２０ヘテロ脂肪族；３〜８員の飽和もしくは一部不飽和の単環式炭素環式化合物；７〜１４員の飽和もしくは一部不飽和の多環式の炭素環式化合物；窒素、酸素、もしくは硫黄から独立して選択される１〜４個のヘテロ原子を有する、５〜６員の単環式ヘテロアリール環；窒素、酸素、もしくは硫黄から独立して選択される１〜５個のヘテロ原子を有する、８〜１４員の多環式ヘテロアリール環；窒素、酸素、もしくは硫黄から独立して選択される１〜３個のヘテロ原子を有する、３〜８員の飽和もしくは一部不飽和の単環式複素環式環；窒素、酸素もしくは硫黄から独立して選択される１〜５個のヘテロ原子を有する、６〜１４員の飽和もしくは一部不飽和の多環式複素環；フェニル；もしくは、８〜１４員の多環式アリール環から成る群から選択される、任意選択的に置換されたラジカルであり；式中、Ｒ３基は、Ｒ１基またはＲ２基と共に、任意選択的に置換された一つまたは複数の環を形成することができ；ならびに
Ｒ４は、それぞれ独立して、水素、ヒドロキシル保護基であるか、または、Ｃ１〜２０アシル、Ｃ１〜２０脂肪族、Ｃ１〜２０ヘテロ脂肪族、３〜８員の飽和もしくは一部不飽和の単環式炭素環式化合物、７〜１４員の飽和もしくは一部不飽和の多環式炭素環式化合物；窒素、酸素、もしくは硫黄から独立して選択される１〜４個のヘテロ原子を有する、５〜６員の単環式ヘテロアリール環；窒素、酸素、もしくは硫黄から独立して選択される１〜５個のヘテロ原子を有する、８〜１４員の多環式ヘテロアリール環；窒素、酸素、もしくは硫黄から独立して選択される１〜３個のヘテロ原子を有する、３〜８員の飽和もしくは一部不飽和の単環式複素環式環；窒素、酸素、もしくは硫黄から独立して選択される１〜５個のヘテロ原子を有する、６〜１４員の飽和もしくは一部不飽和の多環式複素環；フェニル；もしくは、８〜１４員の多環式アリール環から成る群から選択される、任意選択的に置換されたラジカルであり；
Ｒ５は、Ｒ２またはヒドロキシルであり、Ｒ１およびＲ５は、介在原子（複数可）と共に、任意選択的に置換された一つまたは複数の炭素環式環、複素環式環、アリール環、またはヘテロアリール環を形成することができ；
Ｒ６およびＲ７は、それぞれ独立して水素であるか、またはＣ１〜２０脂肪族；Ｃ１〜２０ヘテロ脂肪族；３〜８員の飽和もしくは一部不飽和の単環式炭素環式化合物；７〜１４員の飽和もしくは一部不飽和の多環式炭素環式化合物；窒素、酸素、もしくは硫黄から成る群から独立して選択される、１〜４個のヘテロ原子を有する５〜６員の飽和もしくは一部不飽和の単環式ヘテロアリール環；窒素、酸素、もしくは硫黄から成る群から独立して選択される、１〜５個のヘテロ原子を有する８〜１４員の飽和もしくは一部不飽和の多環式ヘテロアリール環；窒素、酸素、もしくは硫黄から成る群から独立して選択される、１〜３個のヘテロ原子を有する３〜８員の飽和もしくは一部不飽和の単環式複素環式環；窒素、酸素、もしくは硫黄から成る群から独立して選択される、１〜５個のヘテロ原子を有する６〜１４員の飽和もしくは一部不飽和の多環式複素環；フェニル；もしくは、８〜１
４員の多環式アリール環から成る群から選択される、任意選択的に置換されたラジカルであり；式中、Ｒ６およびＲ７は、介在原子（複数可）と共に、任意選択的に一つまたは複数のヘテロ原子を含有する、任意選択的に置換された一つまたは複数の環を形成することができ、Ｒ６基およびＲ７基は、Ｒ１基またはＲ２基と共に、任意選択的に置換された一つまたは複数の環を形成することができ；
Ｒ８の出現箇所は、それぞれ独立して、ハロゲン、−ＮＯ２、−ＣＮ、−ＳＲｙ、−Ｓ（Ｏ）Ｒｙ、−Ｓ（Ｏ）２Ｒｙ、−ＮＲｙＣ（Ｏ）Ｒｙ、−ＯＣ（Ｏ）Ｒｙ、−ＣＯ２Ｒｙ、−ＮＣＯ、−Ｎ３、−ＯＲ７、−ＯＣ（Ｏ）Ｎ（Ｒｙ）２、−Ｎ（Ｒｙ）２、−ＮＲｙＣ（Ｏ）Ｒｙ、−ＮＲｙＣ（Ｏ）ＯＲｙから成る群から選択されるか、；または、Ｃ１〜２０脂肪族；Ｃ１〜２０ヘテロ脂肪族；３〜８員の飽和もしくは一部不飽和の単環式炭素環式化合物；７〜１４員の飽和もしくは一部不飽和の多環式炭素環式化合物；窒素、酸素、もしくは硫黄から成る群から独立して選択される、１〜４個のヘテロ原子を有する５〜６員の単環式ヘテロアリール環；窒素、酸素、もしくは硫黄から成る群から独立して選択される、１〜５個のヘテロ原子を有する、８〜１４員の多環式ヘテロアリール環；窒素、酸素、もしくは硫黄から成る群から独立して選択される、１〜３個のヘテロ原子を有する、３〜８員の飽和もしくは一部不飽和の単環式複素環式環；窒素、酸素、もしくは硫黄から成る群から独立して選択される、１〜５個のヘテロ原子を有する、６〜１４員の飽和もしくは一部不飽和の多環式複素環；フェニル；もしくは、８〜１４員の多環式アリール環から成る群から選択される、任意選択的に置換されたラジカルであり、隣接する二つまたはそれ以上のＲ８基は共に、０〜４個のヘテロ原子を含有する、任意選択的に置換された飽和、一部不飽和もしくは芳香族の、５〜１２員の環を形成することができ；
Ｒｙは、それぞれ独立して、−Ｈであるか、または、Ｃ１〜６脂肪族、フェニル、３〜７員の飽和もしくは一部不飽和の炭素環式環、窒素、酸素、もしくは硫黄から成る群から独立して選択される、１〜２個のヘテロ原子を有する、３〜７員の飽和もしくは一部不飽和単環式複素環式環、窒素、酸素、もしくは硫黄から成る群から独立して選択される、１〜３個のヘテロ原子を有する、５〜６員のヘテロアリール環、および８〜１０員のアリールから成る群から選択される、任意選択的に置換されたラジカルであり；
Ｘは任意のアニオンであり；
環Ａは、任意選択的に置換された５〜１０員のヘテロアリール基であり；ならびに
環Ｂは、前記の図示されている環の窒素原子に加えて、窒素、酸素、もしくは硫黄から独立して選択される０〜２個のヘテロ原子を有する、任意選択的に置換された３〜８員の飽和もしくは一部不飽和の単環式複素環式環である、
二金属錯体。
【請求項１３】
Ｍ１およびＭ２は、独立して、Ｃｒ、Ｍｎ、Ｖ、Ｆｅ、Ｃｏ、Ｍｏ、Ｗ、Ｒｕ、ＡｌおよびＮｉから成る群から選択されるか、あるいは、
Ｍ１およびＭ２は、独立して、Ｃｏ、ＡｌおよびＣｒから成る群から選択されるか、あるいは、
Ｍ１およびＭ２はＣｏであるか、あるいは、
Ｍ１およびＭ２はＣｒであるか、あるいは、
Ｍ１およびＭ２はＡｌであるか、あるいは、
前記
【化２１１】
2013539802.tif 000037
部分が、少なくとも一つの炭素原子を含む１〜３０個の原子と、任意選択的に、Ｎ、Ｏ、Ｓ、Ｓｉ、ＢおよびＰから成る群から選択される一つまたは複数の原子とを含有するか、あるいは、
前記
【化２１２】
2013539802.tif 000038
部分がＣ２〜３０脂肪族基であり、一つまたは複数のメチレンユニットが、任意選択的かつ独立して、−ＮＲｙ−、−Ｎ（Ｒｙ）Ｃ（Ｏ）−、−Ｃ（Ｏ）Ｎ（Ｒｙ）−、−Ｏ−、−Ｃ（Ｏ）−、−ＯＣ（Ｏ）−、−Ｃ（Ｏ）Ｏ−、−Ｓ−、−Ｓｉ（Ｒｙ）２−、−ＳＯ−、−ＳＯ２−、−Ｃ（＝Ｓ）−、−Ｃ（＝ＮＲｙ）−、または−Ｎ＝Ｎ−により置換され、式中、Ｒｙの出現箇所は、それぞれ独立して、−Ｈであるか、またはＣ１〜６脂肪族、フェニル、３〜７員の飽和もしくは一部不飽和の炭素環式環、窒素、酸素、もしくは硫黄から成る群から独立して選択される、１〜２個のヘテロ原子を有する、３〜７員の飽和もしくは一部不飽和の単環式複素環式環、窒素、酸素、もしくは硫黄から成る群から独立して選択される、１〜３個のヘテロ原子を有する、５〜６員のヘテロアリール環、および８〜１０員のアリールから成る群から選択される、任意選択的に置換されたラジカルであるか、あるいは、
前記
【化２１３】
2013539802.tif 000039
部分が、
【化２１４】
2013539802.tif 000040
から成る群から選択され、
式中、ｓはそれぞれ独立して０〜６であり、ｔはそれぞれ独立して０〜４であり、＊は配位子に結合する部位を表し、＃は活性化官能基の結合部位を表す、
請求項１２に記載の二金属錯体。
【請求項１４】
前記
【化２１５】
2013539802.tif 000041
部分が一つの六座配位子を含む、請求項１２に記載の二金属錯体。
【請求項１５】
前記六座配位子が、サレン誘導体、サレン配位子の誘導体、ｂｉｓ−２−ヒドロキシベンザミドの誘導体、およびＲｏｂｓｏｎ型大環状シッフ塩基から成る群から選択される、請求項１４に記載の二金属錯体。
【手続補正２】
【補正対象書類名】明細書
【補正対象項目名】０００５
【補正方法】変更
【補正の内容】
【０００５】
一実施形態において、例えば、以下の項目が提供される。
（項目１）
エポキシドと二酸化炭素を、以下の構造を有する二金属錯体と接触させるステップを含む方法であって、
【化１５８】
2013539802.tif 000042
式中、
Ｍ１は第一金属原子であり；
Ｍ２は第二金属原子であり；
【化１５９】
2013539802.tif 000043
は、両方の金属原子を配位できる多座配位子系を含み；
【化１６０】
2013539802.tif 000044
は、多座配位子系に付着した一つまたは複数の活性化部分を表し、
【化１６１】
2013539802.tif 000045
は、配位子系に共有結合したリンカー部分であり、ｍは、個々のリンカー部分上に存在するＺ基の数を表す１〜４の整数であり、（Ｚ）は、それぞれ独立して、
【化１６２−１】
2013539802.tif 000046
【化１６２−２】
2013539802.tif 000047
【化１６２−３】
2013539802.tif 000048
【化１６２−４】
2013539802.tif 000049
から成る群から選択される活性化官能基であり、
式中、
Ｒ１およびＲ２は、それぞれ独立して、水素であるか、またはＣ１〜２０脂肪族；Ｃ１〜２０ヘテロ脂肪族；３〜８員の飽和もしくは一部不飽和の単環式炭素環式化合物；７〜１４員の飽和もしくは一部不飽和の多環式炭素環式化合物；窒素、酸素もしくは硫黄から独立して選択される１〜４個のヘテロ原子を有する、５〜６員の単環式ヘテロアリール環；窒素、酸素もしくは硫黄から独立して選択される１〜５個のヘテロ原子を有する、８〜１４員の多環式ヘテロアリール環；窒素、酸素もしくは硫黄から独立して選択される１〜３個のヘテロ原子を有する、３〜８員の飽和もしくは一部不飽和の単環式複素環式環；窒素、酸素もしくは硫黄から独立して選択される１〜５個のヘテロ原子を有する、６〜１４員の飽和もしくは一部不飽和の多環式複素環；フェニル；もしくは、８〜１４員の多環式アリール環から成る群から選択される、任意選択的に置換されたラジカルであり；Ｒ１およびＲ２は、介在原子（複数可）と共に、任意選択的に一つまたは複数の追加のヘテロ原子を含有する、任意選択的に置換された一つまたは複数の環を形成することができ；
Ｒ３は、それぞれ独立して、水素であるか、または、Ｃ１〜２０脂肪族；Ｃ１〜２０ヘテロ脂肪族；３〜８員の飽和もしくは一部不飽和の単環式炭素環式化合物；７〜１４員の飽和もしくは一部不飽和の多環式炭素環式化合物；窒素、酸素、もしくは硫黄から独立して選択される１〜４個のヘテロ原子を有する、５〜６員の単環式のヘテロアリール環；窒素、酸素、もしくは硫黄から独立して選択される１〜５個のヘテロ原子を有する、８〜１４員の多環式ヘテロアリール環；窒素、酸素、もしくは硫黄から独立して選択される１〜３個のヘテロ原子を有する、３〜８員の飽和もしくは一部不飽和の単環式複素環式環；窒素、酸素もしくは硫黄から独立して選択される１〜５個のヘテロ原子を有する、６〜１４員の飽和もしくは一部不飽和の多環式複素環式環；フェニル；もしくは、８〜１４員の多環式アリール環から成る群から選択される、任意選択的に置換されたラジカルであり；Ｒ３基は、Ｒ１基またはＲ２基と共に、任意選択的に置換された一つまたは複数の環を形成することができ；ならびに
Ｒ４は、それぞれ独立して、水素、ヒドロキシル保護基、または、Ｃ１〜２０アシル、Ｃ１〜２０脂肪族、Ｃ１〜２０ヘテロ脂肪族、３〜８員の飽和もしくは一部不飽和の単環式炭素環式化合物、７〜１４員の飽和もしくは一部不飽和の多環式炭素環式化合物；窒素、酸素、もしくは硫黄から独立して選択される１〜４個のヘテロ原子を有する、５〜６員の単環式ヘテロアリール環；窒素、酸素、もしくは硫黄から独立して選択される１〜５個のヘテロ原子を有する、８〜１４員の多環式ヘテロアリール環；窒素、酸素、もしくは硫黄から独立して選択される１〜３個のヘテロ原子を有する、３〜８員の飽和もしくは一部不飽和の単環式複素環式環；窒素、酸素、もしくは硫黄から独立して選択される１〜５個のヘテロ原子を有する、６〜１４員の飽和もしくは一部不飽和の多環式複素環式環；フェニル；もしくは、８〜１４員の多環式アリール環から成る群から選択される、任意選択的に置換されたラジカルであり；
Ｒ５は、Ｒ２またはヒドロキシルであり、Ｒ１およびＲ５は、介在原子（複数可）と共に、任意選択的に置換された一つまたは複数の炭素環式環、複素環式環、アリール環、またはヘテロアリール環を形成することができ；
Ｒ６およびＲ７は、それぞれ独立して、水素であるか、またはＣ１〜２０脂肪族；Ｃ１〜２０ヘテロ脂肪族；３〜８員の飽和もしくは一部不飽和の単環式炭素環式化合物；７〜１４員の飽和もしくは一部不飽和の多環式炭素環式化合物；窒素、酸素、もしくは硫黄から成る群から独立して選択される１〜４個のヘテロ原子を有する５〜６員の飽和もしくは一部不飽和の単環式ヘテロアリール環；窒素、酸素、もしくは硫黄から成る群から独立して選択される１〜５個のヘテロ原子を有する８〜１４員の飽和もしくは一部不飽和の多環式ヘテロアリール環；窒素、酸素、もしくは硫黄から成る群から独立して選択される、１〜３個のヘテロ原子を有する３〜８員の飽和もしくは一部不飽和の単環式複素環式環；窒素、酸素、もしくは硫黄から成る群から独立して選択される、１〜５個のヘテロ原子を有する６〜１４員の飽和もしくは一部不飽和の多環式複素環式環；フェニル；８〜１４員の多環式アリール環から成る群から選択される、任意選択的に置換されたラジカルであり；式中、Ｒ６およびＲ７は、介在原子（複数可）と共に、任意選択的に一つまたは複数のヘテ
ロ原子を含有する、任意選択的に置換された一つまたは複数の環を形成することができ、ならびにＲ６基およびＲ７基は、Ｒ１基またはＲ２基と共に、任意選択的に置換された一つまたは複数の環を形成することができ；
Ｒ８の出現箇所は、それぞれ独立して、ハロゲン、−ＮＯ２、−ＣＮ、−ＳＲｙ、−Ｓ（Ｏ）Ｒｙ、−Ｓ（Ｏ）２Ｒｙ、−ＮＲｙＣ（Ｏ）Ｒｙ、−ＯＣ（Ｏ）Ｒｙ、−ＣＯ２Ｒｙ、−ＮＣＯ、−Ｎ３、−ＯＲ７、−ＯＣ（Ｏ）Ｎ（Ｒｙ）２、−Ｎ（Ｒｙ）２、−ＮＲｙＣ（Ｏ）Ｒｙ、−ＮＲｙＣ（Ｏ）ＯＲｙから成る群から選択され；または、Ｃ１〜２０脂肪族、Ｃ１〜２０ヘテロ脂肪族、３〜８員の飽和もしくは一部不飽和の単環式炭素環式化合物；７〜１４員の飽和もしくは一部不飽和の多環式炭素環式化合物；窒素、酸素、もしくは硫黄から成る群から独立して選択される、１〜４個のヘテロ原子を有する、５〜６員の単環式ヘテロアリール環；窒素、酸素、もしくは硫黄から成る群から独立して選択される、１〜５個のヘテロ原子を有する、８〜１４員の多環式ヘテロアリール環；窒素、酸素、もしくは硫黄から成る群から独立して選択される、１〜３個のヘテロ原子を有する、３〜８員の単環式複素環式環；窒素、酸素、もしくは硫黄から成る群から独立して選択される、１〜５個のヘテロ原子を有する、６〜１４員の多環式複素環式環；フェニル；もしくは８〜１４員の多環式アリール環から成る群から選択される、任意選択的に置換されたラジカルであり；ならびに、隣接する二つまたはそれ以上のＲ８基が共に、０〜４個のヘテロ原子を含有する、任意選択的に置換された、飽和、一部不飽和若しくは芳香族の５〜１２員環を形成することができ；
Ｒｙは、それぞれ独立して、−Ｈであるか、または、Ｃ１〜６脂肪族、フェニル、３〜７員の飽和もしくは一部不飽和の炭素環式環、窒素、酸素、もしくは硫黄から成る群から独立して選択される１〜２個のヘテロ原子を有する、３〜７員の飽和もしくは一部不飽和の単環式複素環式環、窒素、酸素、もしくは硫黄から成る群から独立して選択される１〜３個のヘテロ原子を有する、５〜６員のヘテロアリール環、および８〜１０員のアリールから成る群から選択される、任意選択的に置換されたラジカルであり；
Ｘは任意のアニオンであり；
環Ａは、任意選択的に置換された５〜１０員のヘテロアリール基であり；ならびに
環Ｂは、窒素、酸素、もしくは硫黄から独立して選択される、図示されている環の窒素原子に加え、０〜２個のヘテロ原子を有する、任意選択的に置換された３〜８員の飽和もしくは一部不飽和の単環式複素環式環である、
方法。
（項目２）
Ｍ１およびＭ２は、独立して、Ｃｒ、Ｍｎ、Ｖ、Ｆｅ、Ｃｏ、Ｍｏ、Ｗ、Ｒｕ、Ａｌ、およびＮｉから成る群から選択される、項目１に記載の方法。
（項目３）
Ｍ１およびＭ２は、独立して、Ｃｏ、Ａｌ、およびＣｒから成る群から選択される、項目１に記載の方法。
（項目４）
Ｍ１およびＭ２はＣｏである、項目１に記載の方法。
（項目５）
Ｍ１およびＭ２はＣｒである、項目１に記載の方法。
（項目６）
Ｍ１およびＭ２はＡｌである、項目１に記載の方法。
（項目７）
【化１６３】
2013539802.tif 000050
部分は、少なくとも一つの炭素原子を含む１〜３０個の原子と、任意選択的に、Ｎ、Ｏ、Ｓ、Ｓｉ、ＢおよびＰから成る群から選択される一つまたは複数の原子とを含有する、項目１に記載の方法。
（項目８）
前記
【化１６４】
2013539802.tif 000051
部分がＣ２〜３０脂肪族基であり、一つまたは複数のメチレンユニットが、任意選択的かつ独立して、−ＮＲｙ−、−Ｎ（Ｒｙ）Ｃ（Ｏ）−、−Ｃ（Ｏ）Ｎ（Ｒｙ）−、−Ｏ−、−Ｃ（Ｏ）−、−ＯＣ（Ｏ）−、−Ｃ（Ｏ）Ｏ−、−Ｓ−、−Ｓｉ（Ｒｙ）２−、−ＳＯ−、−ＳＯ２−、−Ｃ（＝Ｓ）−、−Ｃ（＝ＮＲｙ）−、または−Ｎ＝Ｎ−により置換される、項目１に記載の方法。
（項目９）
前記
【化１６５】
2013539802.tif 000052
部分が、
【化１６６】
2013539802.tif 000053
から成る群から選択され、
ｓはそれぞれ独立して０〜６であり、ｔはそれぞれ独立して０〜４であり、＊は配位子に結合する部位を表し、＃は活性化官能基の結合部位を表す、項目１に記載の方法。
（項目１０）
前記
【化１６７】
2013539802.tif 000054
部分が一つの六座配位子を含む、項目１に記載の方法。
（項目１１）
前記
【化１６８】
2013539802.tif 000055
部分が二つの三座配位子を含む、項目１に記載の方法。
（項目１２）
前記六座配位子が、サレン誘導体、サレン配位子の誘導体、ｂｉｓ−２−ヒドロキシベンザミドの誘導体、およびＲｏｂｓｏｎ型大環状シッフ塩基から成る群から選択される、項目１０に記載の方法。
（項目１３）
前記六座配位子が、
【化１６９−１】
2013539802.tif 000056
【化１６９−２】
2013539802.tif 000057
から成る群から選択され、
式中、
Ｑ１、Ｑ２、Ｑ３，Ｑ４、Ｑ５およびＱ６は、それぞれ独立して、酸素原子、窒素原子または硫黄原子であり、原子価の法則が許せば、任意選択的に置換されてもよく；
【化１７０】
2013539802.tif 000058
は、それぞれ任意選択的に存在し、独立して、２〜２０個の炭素原子を含有する、任意選択的に置換された橋を表し、かかる橋は、独立してまたは組み合わせて、任意選択的に置換された一つまたは複数の環を任意選択的に形成し、存在する各橋は、任意選択的に一つまたは複数のヘテロ原子を含有し；
【化１７１】
2013539802.tif 000059
部分は、それぞれ独立して、任意選択的に置換されかつ任意選択的に不飽和な炭素橋であり、前記橋を含む任意の炭素原子は、任意選択的に置換された一つまたは複数の環の部分であってもよく；
一つまたは複数の
【化１７２】
2013539802.tif 000060
基は、一つまたは複数の
【化１７３】
2013539802.tif 000061
基と任意選択的に置換され；
環ＣおよびＤは、それぞれ独立して、任意選択的に置換された５〜１２員の単環式環または多環式環を表し、かかる環は飽和、一部不飽和または芳香族でもよく、かつ任意選択的に一つまたは複数のヘテロ原子を含有してもよく；
ＲａおよびＲｂは、それぞれ独立して、フェニル環上に存在する置換基であり、そこでは、二つもしくはそれ以上のＲａ基および／または二つもしくはそれ以上のＲｂ基が共に、一つまたは複数の任意選択的に置換された環を形成してもよく；
ＲｃおよびＲｄは、それぞれ独立して、
【化１７４】
2013539802.tif 000062
基、ハロゲン、−ＯＲ７、−Ｎ（Ｒｙ）２、−ＳＲ７、−ＣＮ、−ＮＯ２、−ＳＯ２Ｒｙ、−ＳＯＲ、−ＳＯ２Ｎ（Ｒｙ）２；−ＣＮＯ、−ＮＲｙＳＯ２Ｒｙ、−ＮＣＯ、−Ｎ３、−ＳｉＲ３から成る群から選択されるか；または、Ｃ１〜２０脂肪族；Ｃ１〜２０ヘテロ脂肪族、３〜８員の飽和もしくは一部不飽和の単環式炭素環式化合物；７〜１４員の飽和もしくは一部不飽和の多環式炭素環式化合物；窒素、酸素、もしくは硫黄から成る群から独立して選択される１〜４個のヘテロ原子を有する、５〜６員の単環式ヘテロアリール環；窒素、酸素、もしくは硫黄から成る群から独立して選択される１〜５個のヘテロ原子を有する、８〜１４員の多環式ヘテロアリール環；窒素、酸素、もしくは硫黄から成る群から独立して選択される１〜３個のヘテロ原子を有する、３〜８員の飽和もしくは一部不飽和の単環式複素環式環；窒素、酸素、もしくは硫黄から成る群から独立して選択される１〜５個のヘテロ原子を有する、６〜１４員の飽和もしくは一部不飽和の多環式複素環；もしくは、８〜１４員の多環式アリール環から成る群から選択される、任意選択的に置換されたラジカルであり；式中、二つまたはそれ以上のＲｃ基もしくはＲｄ基が、結合先の炭素原子および介在原子（複数可）と共に、任意選択的に置換された一つまたは複数の環を形成してもよく；ならびに、二つのＲｃ基またはＲｄ基が同じ炭素原子に結合している場合、両者は、結合先の炭素原子と共に、３〜８員のスピロ環式環、カルボニル基、任意選択的に置換されたアルケン、任意選択的に置換されたオキシム、任意選択的に置換されたヒドラゾン、および任意選択的に置換されたイミンから成る群から選択される部分を形成してよもく；
Ｒｅは、それぞれ独立して、水素と；
【化１７５】
2013539802.tif 000063
基と；または、Ｃ１〜２０脂肪族；Ｃ１〜２０ヘテロ脂肪族；３〜８員の飽和もしくは一部不飽和の単環式炭素環式化合物；７〜１４員の飽和もしくは一部不飽和の多環式炭素環式化合物；窒素、酸素、もしくは硫黄から成る群から独立して選択される、１〜４個のヘテロ原子を有する、５〜６員の単環式ヘテロアリール環；窒素、酸素、もしくは硫黄から成る群から独立して選択される、１〜５個のヘテロ原子を有する、８〜１４員の多環式ヘテロアリール環；窒素、酸素、もしくは硫黄から成る群から独立して選択される、１〜３個のヘテロ原子を有する、３〜８員の飽和もしくは一部不飽和の単環式複素環式環；窒素、酸素、もしくは硫黄から成る群から独立して選択される、１〜５個のヘテロ原子を有する、６〜１４員の飽和もしくは一部不飽和の多環式複素環；フェニル；もしくは、８〜１４員の多環式アリール環から成る群から選択される、任意選択的に置換された部分とから成る群から選択され；式中、二つのＲｅ基が同じ位置に存在する場合、両者は共に、任意選択的に一つまたは複数のヘテロ原子を含有し、および任意選択的に一つまたは複数のＲｃ基と置換されたスピロ環式環を形成してもよく；
Ｒ１２は、任意選択的に存在し、存在する場合は、
【化１７６】
2013539802.tif 000064
基と；または、Ｃ１〜２０脂肪族、Ｃ１〜２０ヘテロ脂肪族、およびフェニルから成る群から選択される、任意選択的に置換されたラジカルとから成る群から選択され；
ｈおよびｉは、独立して、１、２、３、または４であり；ならびに
ｑは１または２である、
項目１０に記載の方法。
（項目１４）
前記二金属錯体が、
【化１７７】
2013539802.tif 000065
を含み、
式中、
Ｘ１およびＸ２は、それぞれ独立して、エポキシドを開環できるアニオンまたは求核剤であり；ならびに
一つまたは複数の活性化部分
【化１７８】
2013539802.tif 000066
は、原子価が許容する通りに、任意の一つまたは複数の利用可能な位置にある指示されたフェニル環上に存在する、項目１３に記載の方法。
（項目１５）
前記二金属錯体が、
【化１７９】
2013539802.tif 000067
を含み、
式中、
Ｘ１およびＸ２は、それぞれ独立して、エポキシドを開環できるアニオンまたは求核剤であり；ならびに
一つまたは複数の活性化部分
【化１８０】
2013539802.tif 000068
は、原子価が許容する通りに、任意の一つまたは複数の利用可能な位置にある指示されたフェニル環上に存在する、項目１３に記載の方法。
（項目１６）
前記二金属錯体が
【化１８１】
2013539802.tif 000069
を含み、
式中、
Ｘ１およびＸ２は、それぞれ独立して、エポキシドを開環できるアニオンまたは求核剤である、項目１３に記載の方法。
（項目１７）
前記二金属錯体が、
【化１８２】
2013539802.tif 000070
を含み、
式中、
Ｘ１およびＸ２は、それぞれ独立して、エポキシドを開環できるアニオンまたは求核剤である、項目１３に記載の方法。
（項目１８）
前記二金属錯体が、
【化１８３−１】
2013539802.tif 000071
【化１８３−２】
2013539802.tif 000072
を含み、
式中、
Ｘ１およびＸ２は、それぞれ独立して、エポキシドを開環できるアニオンまたは求核剤である、項目１３に記載の方法。
（項目１９）
前記二金属錯体が、
【化１８４−１】
2013539802.tif 000073
【化１８４−２】
2013539802.tif 000074
を含み、
式中、
Ｘ１およびＸ２は、それぞれ独立して、エポキシドを開環できるアニオンまたは求核剤である、項目１３に記載の方法。
（項目２０）
前記二金属錯体が、
【化１８５−１】
2013539802.tif 000075
【化１８５−２】
2013539802.tif 000076
【化１８５−３】
2013539802.tif 000077
を含み、
式中、
Ｘ１およびＸ２は、それぞれ独立して、エポキシドを開環できるアニオンまたは求核剤である、項目１３に記載の方法。
（項目２１）
前記二金属錯体が表１の錯体から選択され、式中、Ｍはそれぞれ独立して金属イオンである、項目１に記載の方法。
（項目２２）
Ｍがそれぞれコバルトである、項目２１に記載の方法。
（項目２３）
二金属錯体の少なくとも一つのフェニル環が、独立して、
【化１８６−１】
2013539802.tif 000078
【化１８６−２】
2013539802.tif 000079
から成る群から選択される、項目１３に記載の方法。
（項目２４）
二金属錯体の少なくとも一つのフェニル環が、独立して、
【化１８７】
2013539802.tif 000080
から成る群から選択される、項目２３に記載の方法。
（項目２５）
二金属錯体の少なくとも一つのフェニル環が、独立して、
【化１８８−１】
2013539802.tif 000081
【化１８８−２】
2013539802.tif 000082
から成る群から選択される、項目１３に記載の方法。
（項目２６）
二金属錯体の少なくとも一つのフェニル環が、独立して、
【化１８９】
2013539802.tif 000083
から成る群から選択される、項目１３に記載の方法。
（項目２７）
前記二金属錯体が、独立して、
【化１９０】
2013539802.tif 000084
から成る群から選択される少なくとも一つの部分を含む、項目１３に記載の方法。
（項目２８）
一つまたは複数のＺ基が、独立して、アミン、ホスフィン、グアニジン、ビスグアニジン、アミジン、および窒素含有複素環から成る群から選択される中性の官能基である、項目２３〜２７のいずれか一項に記載の方法。
（項目２９）
一つまたは複数のＺ基は、独立して、
【化１９１−１】
2013539802.tif 000085
【化１９１−２】
2013539802.tif 000086
から成る群から選択されるカチオン性部分である、項目２３〜２７のいずれか一項に記載の方法。
（項目３０）
リンカー部分
【化１９２】
2013539802.tif 000087
は、それぞれ独立して、
【化１９３】
2013539802.tif 000088
から成る群から選択され、ｓはそれぞれ独立して０〜６であり、ｔはそれぞれ独立して０〜４であり、＊は配位子に結合する部位を表し、＃は活性化官能基の結合部位を表す、項目２３〜２７のいずれか一項に記載の方法。
（項目３１）
Ｍ１およびＭ２は、コバルト、アルミニウムおよびクロムから成る群から選択される、項目２３〜２７のいずれか一項に記載の方法。
（項目３２）
Ｍ１およびＭ２は、コバルトおよびクロムから成る群から選択される、項目２３〜２７のいずれか一項に記載の方法。
（項目３３）
Ｍ１およびＭ２はコバルトである、項目２３〜２７のいずれか一項に記載の方法。
（項目３４）
Ｘが、塩素、臭素、任意選択的に置換されたＣ１〜１２のカルボン酸塩、アジド、任意
選択的に置換されたフェノキシド、スルホン酸塩、およびこれらの任意の二つまたはそれ以上の組み合わせから成る群から選択される、項目２３〜２７のいずれか一項に記載の方法。
（項目３５）
Ｘが、塩化物、酢酸塩、トリフルオロ酢酸塩、アジド、ペンタフルオロベンゾエート、およびニトロフェノラートから成る群から選択される、項目２３〜２７のいずれか一項に記載の方法。
（項目３６）
前記二金属錯体が、全部で１〜８個のＺ基を含有する、項目１に記載の方法。
（項目３７）
前記二金属錯体が、全部で１〜６個のＺ基を含有する、項目１に記載の方法。
（項目３８）
前記二金属錯体が、全部で１〜４個のＺ基を含有する、項目１に記載の方法。
（項目３９）
前記二金属錯体が、全部で２個のＺ基を含有する、項目１に記載の方法。
（項目４０）
前記二金属錯体が、全部で４個のＺ基を含有する、項目１に記載の方法。
（項目４１）
少なくとも一つのＺ基が、
【化１９４】
2013539802.tif 000089
から成る群から選択される、項目１に記載の方法。
（項目４２）
少なくとも一つのＺ基が
【化１９５】
2013539802.tif 000090
である、項目１に記載の方法。
（項目４３）
Ｒ１およびＲ２は、任意選択的に置換されたＣ１〜２０脂肪族である、項目４２に記
載の方法。
（項目４４）
Ｒ１およびＲ２は、任意選択的に置換されたＣ１〜１０脂肪族である、項目４２に記載の方法。
（項目４５）
Ｒ１およびＲ２は共に、任意選択的に追加のヘテロ原子を含有する、任意選択的に置換された環を形成する、項目４２に記載の方法。
（項目４６）
少なくとも一つのＺ基が、
【化１９６−１】
2013539802.tif 000091
【化１９６−２】
2013539802.tif 000092
から成る群から選択される、項目１に記載の方法。
（項目４７）
少なくとも一つのＺ基が、
【化１９７】
2013539802.tif 000093
から成る群から選択される、項目１に記載の方法。
（項目４８）
Ｒ１およびＲ２が、−Ｈまたは任意選択的に置換されたＣ１〜２０脂肪族である、項目４７に記載の方法。
（項目４９）
Ｒ１およびＲ２が、−Ｈまたは任意選択的に置換されたＣ１〜１０脂肪族である、項目４７に記載の方法。
（項目５０）
Ｒ３が、−Ｈまたは任意選択的に置換されたＣ１〜１０脂肪族である、項目４７に記載の方法。
（項目５１）
Ｒ１、Ｒ２およびＲ３のうちの二つ以上が共に、任意選択的に追加のヘテロ原子を含有する、任意選択的に置換された環を形成する、項目４７に記載の方法。
（項目５２）
少なくとも一つのＺ基が、
【化１９８】
2013539802.tif 000094
から成る群から選択される、項目１に記載の方法。
（項目５３）
少なくとも一つのＺ基が、
【化１９９】
2013539802.tif 000095
から成る群から選択される、項目１に記載の方法。
（項目５４）
Ｒ１およびＲ２は、独立して、−Ｈまたは任意選択的に置換されたＣ１〜２０脂肪族である、項目５３に記載の方法。
（項目５５）
Ｒ１およびＲ２は、独立して、−Ｈまたは任意選択的に置換されたＣ１〜１０脂肪族である、項目５３に記載の方法。
（項目５６）
Ｒ１およびＲ２のうちの二つ以上は共に、任意選択的に追加のヘテロ原子を含有する、任意選択的に置換された一つまたは複数の環を形成する、項目５３に記載の方法。
（項目５７）
少なくとも一つのＺ基が、
【化２００】
2013539802.tif 000096
から成る群から選択される、項目１に記載の方法。
（項目５８）
少なくとも一つのＺ基が
【化２０１】
2013539802.tif 000097
である、項目１に記載の方法。
（項目５９）
Ｒ１およびＲ２は、それぞれ独立して、−Ｈまたは任意選択的に置換されたＣ１〜２０脂肪族である、項目５８に記載の方法。
（項目６０）
Ｒ１およびＲ２は、それぞれ独立して、−Ｈまたは任意選択的に置換されたＣ１〜１０脂肪族である、項目５８に記載の方法。
（項目６１）
Ｒ１およびＲ２のうちの二つ以上は共に、任意選択的に追加のヘテロ原子を含有する、任意選択的に置換された一つまたは複数の環を形成する、項目５８に記載の方法。
（項目６２）
少なくとも一つのＺ基が、
【化２０２】
2013539802.tif 000098
から成る群から選択される、項目１に記載の方法。
（項目６３）
少なくとも一つのＺ基が、
【化２０３−１】
2013539802.tif 000099
【化２０３−２】
2013539802.tif 000100
から成る群から選択される、項目１に記載の方法。
（項目６４）
前記エポキシドが、式
【化２０４】
2013539802.tif 000101
を有し、
式中、
Ｒａ’  は水素であるか、または、Ｃ１〜３０脂肪族；Ｃ１〜３０ヘテロ脂肪族；フェニル；３〜８員の飽和もしくは一部不飽和の単環式炭素環式化合物；７〜１４員の飽和もしくは一部不飽和の多環式炭素環式化合物；窒素、酸素、もしくは硫黄から成る群から独立して選択される１〜４個のヘテロ原子を有する、５〜６員の飽和もしくは一部不飽和の単環式ヘテロアリール環；窒素、酸素、もしくは硫黄から成る群から独立して選択される１〜３個のヘテロ原子を有する、３〜８員の飽和もしくは一部不飽和の複素環式環；窒素、酸素、もしくは硫黄から成る群から独立して選択される１〜５個のヘテロ原子を有する、６〜１２員の飽和もしくは一部不飽和の複素環；窒素、酸素、もしくは硫黄から成る群から独立して選択される１〜５個のヘテロ原子を有する、８〜１０員の二環式ヘテロアリール環から成る群から選択される、任意選択的に置換されたラジカルであり；ならびに
Ｒｂ’、Ｒｃ’およびＲｄ’は、それぞれ独立して、水素であるか、または、Ｃ１〜１２脂肪族；Ｃ１〜１２ヘテロ脂肪族；フェニル；３〜８員の飽和もしくは一部不飽和の単環式炭素環式化合物；７〜１４個炭素の飽和、一部不飽和もしくは芳香族の多環式炭素環式化合物；窒素、酸素、もしくは硫黄から成る群から独立して選択される、１〜４個のヘテロ原子を有する、５〜６員の単環式ヘテロアリール環；窒素、酸素、もしくは硫黄から成る群から独立して選択される、１〜３個のヘテロ原子を有する、３〜８員の飽和もしくは一部不飽和の複素環式環；窒素、酸素、もしくは硫黄から成る群から独立して選択される、１〜５個のヘテロ原子を有する、６〜１２員の飽和もしくは一部不飽和の複素環；窒素、酸素、もしくは硫黄から成る群から独立して選択される、１〜５個のヘテロ原子を有する、８〜１０員の二環式ヘテロアリール環から成る群から選択される、任意選択的に置換されたラジカルであり；
式中、（Ｒａ’およびＲｃ’）、（Ｒｃ’およびＲｄ’）ならびに（Ｒａ’およびＲｂ’）のいずれも、介在原子（複数可）と共に、任意選択的に置換された一つまたは複数の環を形成することができる、
項目１に記載の方法。
（項目６５）
形成されるポリマーが、
【化２０５】
2013539802.tif 000102
から成る群から選択される式を有する、項目６４に記載の方法。
（項目６６）
Ｒｂ’、Ｒｃ’およびＲｄ’がそれぞれ水素である、項目６４に記載の方法。
（項目６７）
Ｒａ’は、任意選択的に置換されたＣ１〜１２脂肪族である、項目６４に記載の方法。
（項目６８）
エポキシドは、エチレンオキシド、プロピレンオキシド、ブチレンオキシド、シクロヘキセンオキシド、１，２−オクテンオキシド、３−ビニルシクロヘキセンオキシド、エピクロロヒドリン、およびこれらの任意の二つまたはそれ以上の混合物から成る群から選択される、項目１に記載の方法。
（項目６９）
前記エポキシドは、エチレンオキシド、プロピレンオキシド、またはシクロヘキセンオキシドである、項目１に記載の方法。
（項目７０）
前記エポキシドはプロピレンオキシドである、項目１に記載の方法。
（項目７１）
ＣＯ２圧力が約５０〜８００ｐｓｉである、項目１に記載の方法。
（項目７２）
触媒のエポキシドに対する比率が、約１：１０００〜約１：１０００，０００である、項目１に記載の方法。
（項目７３）
重合化を進行させ、所望のポリマー分子量を達成すると重合反応を停止させ、ポリマーを単離するというステップをさらに含む、項目１に記載の方法。
（項目７４）
以下の構造を有し、
【化２０６】
2013539802.tif 000103
式中、
Ｍ１は第一金属原子であり；
Ｍ２は第二金属原子であり；
【化２０７】
2013539802.tif 000104
は、両方の金属原子を配位することができる多座配位子系を含み；
【化２０８】
2013539802.tif 000105
は、多座配位子系に結合する一つまたは複数の活性化部分を表しており、
【化２０９】
2013539802.tif 000106
は、配位子系と共有結合したリンカー部分であり、ｍは、個々のリンカー部分に存在するＺ基の数を表す１〜４の整数であり；および、（Ｚ）は、それぞれ独立して、
【化２１０−１】
2013539802.tif 000107
【化２１０−２】
2013539802.tif 000108
【化２１０−３】
2013539802.tif 000109
から成る群から選択される活性化官能基であり；
式中、
Ｒ１およびＲ２は、それぞれ独立して水素であるか、またはＣ１〜２０脂肪族；Ｃ１〜２０ヘテロ脂肪族；３〜８員飽和もしくは一部不飽和の単環式の炭素環式化合物；７〜１４員の飽和もしくは一部不飽和の多環式の炭素環式化合物；窒素、酸素もしくは硫黄から独立して選択される１〜４個のヘテロ原子を有する、５〜６員の単環式ヘテロアリール環；窒素、酸素もしくは硫黄から独立して選択される１〜５個のヘテロ原子を有する、８〜１４員の多環式ヘテロアリール環；窒素、酸素もしくは硫黄から独立して選択される１〜３個のヘテロ原子を有する、３〜８員の飽和もしくは一部不飽和の単環式複素環式環；窒素、酸素もしくは硫黄から独立して選択される１〜５個のヘテロ原子を有する、６〜１４員の飽和もしくは一部不飽和の多環式複素環；フェニル；もしくは、８〜１４員の多環式アリール環から成る群から選択される、任意選択的に置換されたラジカルであり；式中、Ｒ１およびＲ２は、介在原子（複数可）と共に、任意選択的に一つまたは複数の追加のヘテロ原子を含有する、任意選択的に置換された一つまたは複数の環を形成することができ；Ｒ３は、それぞれ独立して水素であるか、またはＣ１〜２０脂肪族；Ｃ１〜２０ヘテロ脂肪族；３〜８員の飽和もしくは一部不飽和の単環式炭素環式化合物；７〜１４員の飽和もしくは一部不飽和の多環式の炭素環式化合物；窒素、酸素、もしくは硫黄から独立して選択される１〜４個のヘテロ原子を有する、５〜６員の単環式ヘテロアリール環；窒素、酸素、もしくは硫黄から独立して選択される１〜５個のヘテロ原子を有する、８〜１４員の多環式ヘテロアリール環；窒素、酸素、もしくは硫黄から独立して選択される１〜３個のヘテロ原子を有する、３〜８員の飽和もしくは一部不飽和の単環式複素環式環；窒素、酸素もしくは硫黄から独立して選択される１〜５個のヘテロ原子を有する、６〜１４員の飽和もしくは一部不飽和の多環式複素環；フェニル；もしくは、８〜１４員の多環式アリール環から成る群から選択される、任意選択的に置換されたラジカルであり；式中、Ｒ３基は、Ｒ１基またはＲ２基と共に、任意選択的に置換された一つまたは複数の環を形成することができ；ならびに
Ｒ４は、それぞれ独立して、水素、ヒドロキシル保護基であるか、または、Ｃ１〜２０アシル、Ｃ１〜２０脂肪族、Ｃ１〜２０ヘテロ脂肪族、３〜８員の飽和もしくは一部不飽和の単環式炭素環式化合物、７〜１４員の飽和もしくは一部不飽和の多環式炭素環式化合物；窒素、酸素、もしくは硫黄から独立して選択される１〜４個のヘテロ原子を有する、５〜６員の単環式ヘテロアリール環；窒素、酸素、もしくは硫黄から独立して選択される１〜５個のヘテロ原子を有する、８〜１４員の多環式ヘテロアリール環；窒素、酸素、もしくは硫黄から独立して選択される１〜３個のヘテロ原子を有する、３〜８員の飽和もしくは一部不飽和の単環式複素環式環；窒素、酸素、もしくは硫黄から独立して選択される１〜５個のヘテロ原子を有する、６〜１４員の飽和もしくは一部不飽和の多環式複素環；フェニル；もしくは、８〜１４員の多環式アリール環から成る群から選択される、任意選択的に置換されたラジカルであり；
Ｒ５は、Ｒ２またはヒドロキシルであり、Ｒ１およびＲ５は、介在原子（複数可）と共に、任意選択的に置換された一つまたは複数の炭素環式環、複素環式環、アリール環、またはヘテロアリール環を形成することができ；
Ｒ６およびＲ７は、それぞれ独立して水素であるか、またはＣ１〜２０脂肪族；Ｃ１〜２０ヘテロ脂肪族；３〜８員の飽和もしくは一部不飽和の単環式炭素環式化合物；７〜１４員の飽和もしくは一部不飽和の多環式炭素環式化合物；窒素、酸素、もしくは硫黄から成る群から独立して選択される、１〜４個のヘテロ原子を有する５〜６員の飽和もしくは一部不飽和の単環式ヘテロアリール環；窒素、酸素、もしくは硫黄から成る群から独立して選択される、１〜５個のヘテロ原子を有する８〜１４員の飽和もしくは一部不飽和の多環式ヘテロアリール環；窒素、酸素、もしくは硫黄から成る群から独立して選択される、１〜３個のヘテロ原子を有する３〜８員の飽和もしくは一部不飽和の単環式複素環式環；窒素、酸素、もしくは硫黄から成る群から独立して選択される、１〜５個のヘテロ原子を有する６〜１４員の飽和もしくは一部不飽和の多環式複素環；フェニル；もしくは、８〜１
４員の多環式アリール環から成る群から選択される、任意選択的に置換されたラジカルであり；式中、Ｒ６およびＲ７は、介在原子（複数可）と共に、任意選択的に一つまたは複数のヘテロ原子を含有する、任意選択的に置換された一つまたは複数の環を形成することができ、Ｒ６基およびＲ７基は、Ｒ１基またはＲ２基と共に、任意選択的に置換された一つまたは複数の環を形成することができ；
Ｒ８の出現箇所は、それぞれ独立して、ハロゲン、−ＮＯ２、−ＣＮ、−ＳＲｙ、−Ｓ（Ｏ）Ｒｙ、−Ｓ（Ｏ）２Ｒｙ、−ＮＲｙＣ（Ｏ）Ｒｙ、−ＯＣ（Ｏ）Ｒｙ、−ＣＯ２Ｒｙ、−ＮＣＯ、−Ｎ３、−ＯＲ７、−ＯＣ（Ｏ）Ｎ（Ｒｙ）２、−Ｎ（Ｒｙ）２、−ＮＲｙＣ（Ｏ）Ｒｙ、−ＮＲｙＣ（Ｏ）ＯＲｙから成る群から選択されるか、；または、Ｃ１〜２０脂肪族；Ｃ１〜２０ヘテロ脂肪族；３〜８員の飽和もしくは一部不飽和の単環式炭素環式化合物；７〜１４員の飽和もしくは一部不飽和の多環式炭素環式化合物；窒素、酸素、もしくは硫黄から成る群から独立して選択される、１〜４個のヘテロ原子を有する５〜６員の単環式ヘテロアリール環；窒素、酸素、もしくは硫黄から成る群から独立して選択される、１〜５個のヘテロ原子を有する、８〜１４員の多環式ヘテロアリール環；窒素、酸素、もしくは硫黄から成る群から独立して選択される、１〜３個のヘテロ原子を有する、３〜８員の飽和もしくは一部不飽和の単環式複素環式環；窒素、酸素、もしくは硫黄から成る群から独立して選択される、１〜５個のヘテロ原子を有する、６〜１４員の飽和もしくは一部不飽和の多環式複素環；フェニル；もしくは、８〜１４員の多環式アリール環から成る群から選択される、任意選択的に置換されたラジカルであり、隣接する二つまたはそれ以上のＲ８基は共に、０〜４個のヘテロ原子を含有する、任意選択的に置換された飽和、一部不飽和もしくは芳香族の、５〜１２員の環を形成することができ；
Ｒｙは、それぞれ独立して、−Ｈであるか、または、Ｃ１〜６脂肪族、フェニル、３〜７員の飽和もしくは一部不飽和の炭素環式環、窒素、酸素、もしくは硫黄から成る群から独立して選択される、１〜２個のヘテロ原子を有する、３〜７員の飽和もしくは一部不飽和単環式複素環式環、窒素、酸素、もしくは硫黄から成る群から独立して選択される、１〜３個のヘテロ原子を有する、５〜６員のヘテロアリール環、および８〜１０員のアリールから成る群から選択される、任意選択的に置換されたラジカルであり；
Ｘは任意のアニオンであり；
環Ａは、任意選択的に置換された５〜１０員のヘテロアリール基であり；ならびに
環Ｂは、前記の図示されている環の窒素原子に加えて、窒素、酸素、もしくは硫黄から独立して選択される０〜２個のヘテロ原子を有する、任意選択的に置換された３〜８員の飽和もしくは一部不飽和の単環式複素環式環である、
二金属錯体。
（項目７５）
Ｍ１およびＭ２は、独立して、Ｃｒ、Ｍｎ、Ｖ、Ｆｅ、Ｃｏ、Ｍｏ、Ｗ、Ｒｕ、ＡｌおよびＮｉから成る群から選択される、項目７４に記載の二金属錯体。
（項目７６）
Ｍ１およびＭ２は、独立して、Ｃｏ、ＡｌおよびＣｒから成る群から選択される、項目７４に記載の二金属錯体。
（項目７７）
Ｍ１およびＭ２はＣｏである、項目７４に記載の二金属錯体。
（項目７８）
Ｍ１およびＭ２はＣｒである、項目７４に記載の二金属錯体。
（項目７９）
Ｍ１およびＭ２はＡｌである、項目７４に記載の二金属錯体。
（項目８０）
前記
【化２１１】
2013539802.tif 000110
部分が、少なくとも一つの炭素原子を含む１〜３０個の原子と、任意選択的に、Ｎ、Ｏ、Ｓ、Ｓｉ、ＢおよびＰから成る群から選択される一つまたは複数の原子とを含有する、項目７４に記載の二金属錯体。
（項目８１）
前記
【化２１２】
2013539802.tif 000111
部分がＣ２〜３０脂肪族基であり、一つまたは複数のメチレンユニットが、任意選択的かつ独立して、−ＮＲｙ−、−Ｎ（Ｒｙ）Ｃ（Ｏ）−、−Ｃ（Ｏ）Ｎ（Ｒｙ）−、−Ｏ−、−Ｃ（Ｏ）−、−ＯＣ（Ｏ）−、−Ｃ（Ｏ）Ｏ−、−Ｓ−、−Ｓｉ（Ｒｙ）２−、−ＳＯ−、−ＳＯ２−、−Ｃ（＝Ｓ）−、−Ｃ（＝ＮＲｙ）−、または−Ｎ＝Ｎ−により置換され、式中、Ｒｙの出現箇所は、それぞれ独立して、−Ｈであるか、またはＣ１〜６脂肪族、フェニル、３〜７員の飽和もしくは一部不飽和の炭素環式環、窒素、酸素、もしくは硫黄から成る群から独立して選択される、１〜２個のヘテロ原子を有する、３〜７員の飽和もしくは一部不飽和の単環式複素環式環、窒素、酸素、もしくは硫黄から成る群から独立して選択される、１〜３個のヘテロ原子を有する、５〜６員のヘテロアリール環、および８〜１０員のアリールから成る群から選択される、任意選択的に置換されたラジカルである、項目７４に記載の二金属錯体。
（項目８２）
前記
【化２１３】
2013539802.tif 000112
部分が、
【化２１４】
2013539802.tif 000113
から成る群から選択され、
式中、ｓはそれぞれ独立して０〜６であり、ｔはそれぞれ独立して０〜４であり、＊は配位子に結合する部位を表し、＃は活性化官能基の結合部位を表す、項目７４に記載の二金属錯体。
（項目８３）
前記
【化２１５】
2013539802.tif 000114
部分が一つの六座配位子を含む、項目７４に記載の二金属錯体。
（項目８４）
前記
【化２１６】
2013539802.tif 000115
部分が二つの三座配位子を含む、項目７４に記載の二金属錯体。
（項目８５）
前記六座配位子が、サレン誘導体、サレン配位子の誘導体、ｂｉｓ−２−ヒドロキシベンザミドの誘導体、およびＲｏｂｓｏｎ型大環状シッフ塩基から成る群から選択される、項目８３に記載の二金属錯体。
（項目８６）
前記六座配位子が、
【化２１７】
2013539802.tif 000116
から成る群から選択され、
式中、
Ｑ１、Ｑ２、Ｑ３，Ｑ４、Ｑ５およびＱ６は、それぞれ独立して、酸素原子、窒素原子または硫黄原子であり、原子価の法則が許せば、任意選択的に置換されてもよく；
【化２１８】
2013539802.tif 000117
は、それぞれ任意選択的に存在し、独立して、２〜２０個の炭素原子を含有する、任意選
択的に置換された橋を表し、かかる橋は、独立してまたは組み合わせて、任意選択的に置換された一つまたは複数の環を任意選択的に形成し、存在する各橋は、任意選択的に一つまたは複数のヘテロ原子を含有し；
【化２１９】
2013539802.tif 000118
部分は、それぞれ独立して、任意選択的に置換されかつ任意選択的に不飽和な炭素橋であり、かかる橋を含む任意の炭素原子は、任意選択的に置換された一つまたは複数の環の一部であってもよく；
一つまたは複数の
【化２２０】
2013539802.tif 000119
基は、任意選択的に一つまたは複数の
【化２２１】
2013539802.tif 000120
と置換され；
環ＣおよびＤは、それぞれ独立して、任意選択的に置換された５〜１２員の単環式環または多環式環を表し、かかる環は飽和、一部不飽和または芳香族でもよく、かつ任意選択的に一つまたは複数のヘテロ原子を含有してもよく；
ＲａおよびＲｂは、それぞれ独立して、フェニル環上に存在する置換基であり、そこでは、二つもしくはそれ以上のＲａ基および／または二つもしくはそれ以上のＲｂ基が共に、一つまたは複数の任意選択的に置換された環を形成してもよく；
ＲｃおよびＲｄは、それぞれ独立して、
【化２２２】
2013539802.tif 000121
基、ハロゲン、−ＯＲ７、−Ｎ（Ｒｙ）２、−ＳＲ７、−ＣＮ、−ＮＯ２、−ＳＯ２Ｒｙ、−ＳＯＲ、−ＳＯ２Ｎ（Ｒｙ）２；−ＣＮＯ、−ＮＲｙＳＯ２Ｒｙ、−ＮＣＯ、−Ｎ３、−ＳｉＲ３から成る群から選択されるか；または、Ｃ１〜２０脂肪族；Ｃ１〜２０ヘテロ脂肪族、３〜８員の飽和もしくは一部不飽和の単環式炭素環式化合物；７〜１４員の飽和もしくは一部不飽和の多環式炭素環式化合物；窒素、酸素、もしくは硫黄から成る群から独立して選択される、１〜４個のヘテロ原子を有する、５〜６員の単環式ヘテロアリール環；窒素、酸素、もしくは硫黄から成る群から独立して選択される、１〜５個のヘテロ原子を有する、８〜１４員の多環式ヘテロアリール環；窒素、酸素、もしくは硫黄から成る群から独立して選択される、１〜３個のヘテロ原子を有する、３〜８員の飽和もしくは一部不飽和の単環式複素環式環；窒素、酸素、もしくは硫黄から成る群から独立して選択される、１〜５個のヘテロ原子を有する、６〜１４員の飽和もしくは一部不飽和の多環式複素環；フェニル；もしくは、８〜１４員の多環式アリール環から成る群から選択される、任意選択的に置換されたラジカルであり；式中、二つまたはそれ以上のＲｃ基もしくはＲｄ基は、結合先の炭素原子および任意の介在原子（複数可）と共に、任意選択的に置換された一つまたは複数の環を形成してもよく；ならびに、二つのＲｃ基またはＲｄ基が同じ炭素原子に結合している場合、両者は、結合先の炭素原子と共に、３〜８員のスピロ環式環、カルボニル基、任意選択的に置換されたアルケン、任意選択的に置換されたオキシム、任意選択的に置換されたヒドラゾン、および任意選択的に置換されたイミンから成る群から選択される部分を形成してよもく；
Ｒｅは、それぞれ独立して、水素と；
【化２２３】
2013539802.tif 000122
基と；または、Ｃ１〜２０脂肪族；Ｃ１〜２０ヘテロ脂肪族；３〜８員の飽和もしくは一部不飽和の単環式炭素環式化合物；７〜１４員の飽和もしくは一部不飽和の多環式炭素環式化合物；窒素、酸素、もしくは硫黄から成る群から独立して選択される、１〜４個のヘテロ原子を有する、５〜６員の単環式ヘテロアリール環；窒素、酸素、もしくは硫黄から成る群から独立して選択される、１〜５個のヘテロ原子を有する、８〜１４員の多環式ヘテロアリール環；窒素、酸素、もしくは硫黄から成る群から独立して選択される、１〜３個のヘテロ原子を有する、３〜８員の飽和もしくは一部不飽和の単環式複素環式環；窒素、酸素、もしくは硫黄から成る群から独立して選択される、１〜５個のヘテロ原子を有する、６〜１４員の飽和もしくは一部不飽和の多環式複素環；フェニル；もしくは８〜１４員の多環式アリール環から成る群から選択される、任意選択的に置換された部分とから成る群から選択され；式中、二つのＲｅ基が同じ位置に存在する場合、両者は共に、任意選択的に一つまたは複数のヘテロ原子を任意選択的に含有し、任意選択的に一つまたは複数のＲｃ基と置換されたスピロ環式環を形成してもよく；
Ｒ１２は、任意選択的に存在し、存在する場合は、
【化２２４】
2013539802.tif 000123
基と；Ｃ１〜２０脂肪族、Ｃ１〜２０ヘテロ脂肪族、およびフェニルから成る群から選択される、任意選択的に置換されたラジカルとから成る群から選択され；
ｈおよびｉは、独立して、１、２、３、または４であり；ならびに
ｑは１または２である、
項目８３に記載の二金属錯体。
（項目８７）
前記二金属錯体が、
【化２２５】
2013539802.tif 000124
を含み、
式中、
Ｘ１およびＸ２は、それぞれ独立して、エポキシドを開環できるアニオンまたは求核剤であり；ならびに
一つまたは複数の活性化部分
【化２２６】
2013539802.tif 000125
は、原子価が許容する通りに、任意の一つまたは複数の利用可能な位置にある指定のフェニル環上に存在する、
項目８６に記載の二金属錯体。
（項目８８）
前記二金属錯体が、
【化２２７】
2013539802.tif 000126
を含み、
式中、
Ｘ１およびＸ２は、それぞれ独立して、エポキシドを開環できるアニオンまたは求核剤であり；ならびに
一つまたは複数の活性化部分
【化２２８】
2013539802.tif 000127
は、原子価が許容する通りに、任意の一つまたは複数の利用可能な位置にある指定のフェニル環上に存在する、
項目８６に記載の二金属錯体。
（項目８９）
前記二金属錯体が、
【化２２９−１】
2013539802.tif 000128
【化２２９−２】
2013539802.tif 000129
を含み、
式中、
Ｘ１およびＸ２は、それぞれ独立して、エポキシドを開環できるアニオンまたは求核剤である、項目８６に記載の二金属錯体。
（項目９０）
前記二金属錯体が、
【化２３０】
2013539802.tif 000130
を含み、
式中、
Ｘ１およびＸ２は、それぞれ独立して、エポキシドを開環できるアニオンまたは求核剤である、項目８６に記載の二金属錯体。
（項目９１）
前記二金属錯体が、
【化２３１】
2013539802.tif 000131
を含み、
式中、
Ｘ１およびＸ２は、それぞれ独立して、エポキシドを開環できるアニオンまたは求核剤である、項目８６に記載の二金属錯体。
（項目９２）
前記二金属錯体が、
【化２３２】
2013539802.tif 000132
を含み、
式中、
Ｘ１およびＸ２は、それぞれ独立して、エポキシドを開環できるアニオンまたは求核剤である、項目８６に記載の二金属錯体。
（項目９３）
前記二金属錯体が、
【化２３３−１】
2013539802.tif 000133
【化２３３−２】
2013539802.tif 000134
を含み、
式中、
Ｘ１およびＸ２は、存在する場合、それぞれ独立してエポキシドを開環できるアニオンまたは求核剤である、項目８６に記載の二金属錯体。
（項目９４）
前記二金属錯体が表１の錯体から選択され、式中、Ｍはそれぞれ独立して金属イオンである、項目７４に記載の二金属錯体。
（項目９５）
Ｍがそれぞれコバルトである、項目９４に記載の二金属錯体。
（項目９６）
二金属錯体の少なくとも一つのフェニル環が、独立して、
【化２３４】
2013539802.tif 000135
から成る群から選択される、項目８６に記載の二金属錯体。
（項目９７）
二金属錯体の少なくとも一つのフェニル環が、独立して、
【化２３５−１】
2013539802.tif 000136
【化２３５−２】
2013539802.tif 000137
から成る群から選択される、項目９６に記載の二金属錯体。
（項目９８）
二金属錯体の少なくとも一つのフェニル環が、独立して、
【化２３６−１】
2013539802.tif 000138
【化２３６−２】
2013539802.tif 000139
から成る群から選択される、項目８６に記載の二金属錯体。
（項目９９）
二金属錯体の少なくとも一つのフェニル環が、独立して、
【化２３７】
2013539802.tif 000140
から成る群から選択される、項目８６に記載の二金属錯体。
（項目１００）
前記二金属錯体が、独立して、
【化２３８−１】
2013539802.tif 000141
【化２３８−２】
2013539802.tif 000142
から成る群から選択される、少なくとも一つの部分を含む、項目８６に記載の二金属錯体。
（項目１０１）
一つまたは複数のＺ基が、独立して、アミン、ホスフィン、グアニジン、ビスグアニジン、アミジン、および窒素含有複素環から成る群から選択される中性の官能基である、項目９６〜１００のいずれか一項に記載の二金属錯体。
（項目１０２）
一つまたは複数のＺ基が、独立して、
【化２３９−１】
2013539802.tif 000143
【化２３９−２】
2013539802.tif 000144
から成る群から選択されるカチオン性部分である、項目９６〜１００のいずれか一項に記載の二金属錯体。
（項目１０３）
リンカー部分
【化２４０】
2013539802.tif 000145
が、それぞれ独立して、
【化２４１】
2013539802.tif 000146
から成る群から選択され、
式中、ｓはそれぞれ独立して０〜６であり、ｔはそれぞれ独立して０〜４であり、＊は配位子に結合する部位を表し、＃は活性化官能基の結合部位を表す、項目９６〜１００のいずれか一項に記載の二金属錯体。
（項目１０４）
Ｍ１およびＭ２が、コバルト、アルミニウム、およびクロムから成る群から選択される、項目９６〜１００のいずれか一項に記載の二金属錯体。
（項目１０５）
Ｍ１およびＭ２が、コバルトおよびクロムから成る群から選択される、項目９６〜１００のいずれか一項に記載の二金属錯体。
（項目１０６）
Ｍ１およびＭ２がコバルトである、項目９６〜１００のいずれか一項に記載の二金属錯
体。
（項目１０７）
Ｘが、塩素、臭素、任意選択的に置換されたＣ１〜１２のカルボン酸塩、アジド、任意選択的に置換フェノキシド、スルホン酸塩、およびこれらの任意の二つまたはそれ以上の組み合わせから成る群から選択される、項目９６〜１００のいずれか一項に記載の二金属錯体。
（項目１０８）
Ｘは、塩化物、酢酸塩、トリフルオロ酢酸塩、アジド、ペンタフルオロベンゾエート、およびニトロフェノラートから成る群から選択される、項目９６〜１００のいずれか一項に記載の二金属錯体。
（項目１０９）
前記二金属錯体が、全部で１〜８個のＺ基を含有する、項目１に記載の二金属錯体。
（項目１１０）
前記二金属錯体が、全部で１〜６個のＺ基を含有する、項目１に記載の二金属錯体。
（項目１１１）
前記二金属錯体が、全部で１〜４個のＺ基を含有する、項目７４に記載の二金属錯体。
（項目１１２）
前記二金属錯体が、全部で２個のＺ基を含有する、項目７４に記載の二金属錯体。
（項目１１３）
前記二金属錯体が、全部で４個のＺ基を含有する、項目７４に記載の二金属錯体。
（項目１１４）
少なくとも一つのＺ基が、
【化２４２】
2013539802.tif 000147
から成る群から選択される、項目７４に記載の二金属錯体。
（項目１１５）
少なくとも一つのＺ基が、
【化２４３】
2013539802.tif 000148
である、項目７４に記載の二金属錯体。
（項目１１６）
Ｒ１およびＲ２は、任意選択的に置換されたＣ１〜２０脂肪族である、項目１１５に記載の二金属錯体。
（項目１１７）
Ｒ１およびＲ２は、任意選択的に置換されたＣ１〜１０脂肪族である、項目１１５に記載の二金属錯体。
（項目１１８）
Ｒ１およびＲ２は共に、任意選択的に追加のヘテロ原子を含有する、任意選択的に置換された環を形成する、項目１１５に記載の二金属錯体。
（項目１１９）
少なくとも一つのＺ基が、
【化２４４】
2013539802.tif 000149
から成る群から選択される、項目７４に記載の二金属錯体。
（項目１２０）
少なくとも一つのＺ基が、
【化２４５】
2013539802.tif 000150
から成る群から選択される、項目７４に記載の二金属錯体。
（項目１２１）
Ｒ１およびＲ２は、−Ｈまたは任意選択的に置換されたＣ１〜２０脂肪族である、項目１２０に記載の二金属錯体。
（項目１２２）
Ｒ１およびＲ２は、−Ｈまたは任意選択的に置換されたＣ１〜１０脂肪族である、請求
項１２０に記載の二金属錯体。
（項目１２３）
Ｒ３は、−Ｈまたは任意選択的に置換されたＣ１〜１０脂肪族である、項目１２０に記載の二金属錯体。
（項目１２４）
Ｒ１、Ｒ２およびＲ３のうちの二つ以上は共に、任意選択的に追加のヘテロ原子を含有する、任意選択的に置換された環を形成する、項目１２０に記載の二金属錯体。
（項目１２５）
少なくとも一つのＺ基が、
【化２４６】
2013539802.tif 000151
から成る群から選択される、項目７４に記載の二金属錯体。
（項目１２６）
少なくとも一つのＺ基が、
【化２４７】
2013539802.tif 000152
から成る群から選択される、項目７４に記載の二金属錯体。
（項目１２７）
Ｒ１およびＲ２は、それぞれ独立して、−Ｈまたは任意選択的に置換されたＣ１〜２０脂肪族である、項目１２６に記載の二金属錯体。
（項目１２８）
Ｒ１およびＲ２は、それぞれ独立して、−Ｈまたは任意選択的に置換されたＣ１〜１０脂肪族である、項目１２６に記載の二金属錯体。
（項目１２９）
Ｒ１およびＲ２のうちの二つ以上が共に、任意選択的に追加のヘテロ原子を含有する、任意選択的に置換された一つまたは複数の環を形成する、項目１２６に記載の二金属錯体。
（項目１３０）
少なくとも一つのＺ基が、
【化２４８】
2013539802.tif 000153
から成る群から選択される、項目７４に記載の二金属錯体。
（項目１３１）
少なくとも一つのＺ基が、
【化２４９】
2013539802.tif 000154
である、項目７４に記載の二金属錯体。
（項目１３２）
Ｒ１およびＲ２は、それぞれ独立して、−Ｈまたは任意選択的に置換されたＣ１〜２０脂肪族である、項目１３１に記載の二金属錯体。
（項目１３３）
Ｒ１およびＲ２は、独立して、−Ｈまたは任意選択的に置換されたＣ１〜１０脂肪族である、項目１３１に記載の二金属錯体。
（項目１３４）
Ｒ１およびＲ２のうちの二つ以上が共に、任意選択的に追加のヘテロ原子を含有する、任意選択的に置換された一つまたは複数の環を形成する、項目１３１に記載の二金属錯体。
（項目１３５）
少なくとも一つのＺ基が、
【化２５０】
2013539802.tif 000155
から成る群から選択される、項目７４に記載の二金属錯体。
（項目１３６）
少なくとも一つのＺ基が、
【化２５１−１】
2013539802.tif 000156
【化２５１−２】
2013539802.tif 000157
から成る群から選択される、項目７４に記載の二金属錯体。
本発明は、とりわけ、複数の金属中心を有し、テザー活性化部分を含む金属錯体を提供する。本発明はまた、前記多金属錯体を使用する方法も提供する。いくつかの実施形態では、提供される多金属錯体は、二酸化炭素とエポキシドの共重合において活性がある。いくつかの実施形態では、本発明は、多金属錯体の少なくとも一つの金属中心に配位している配位子錯体につながった共触媒活性を有する活性化種を含む多金属錯体を提供する。